(57)【要約】      （修正有）【課題】抗菌、脱臭、耐紫外線、及び帯電防止等の機能を達成できるとともに、洗濯回数による機能低下の発生を避けられる微量元素を有するエコな生地構造を提供する。【解決手段】生地構造は、断面が所定の幾何学的形状である経糸本体を有する複数本の経糸１１と、断面が所定の幾何学的形状である緯糸本体を有する複数本の緯糸１２とを交互に織り合わせてなるものである。経糸本体の表面に第１微量元素複合層が被覆され、緯糸本体の表面に第２微量元素複合層が被覆される。【選択図】図２
0003226413.tif 000002
【実用新案登録請求の範囲】
【請求項１】
複数本の経糸と複数本の緯糸とを交互に織り合わせてなるエコな生地構造であって、
前記複数本の経糸は、断面が所定の幾何学的形状である経糸本体を有し、前記経糸本体の表面に少なくとも第１微量元素複合層が被覆され、
前記複数本の緯糸は、断面が所定の幾何学的形状である緯糸本体を有し、前記緯糸本体の表面に少なくとも第２微量元素複合層が被覆され、
前記複数本の経糸の所定位置に複数の第１交差部が形成され、前記複数本の緯糸の所定位置に複数の第２交差部が形成され、
前記複数本の経糸の複数の第１交差部と前記複数本の緯糸の複数の第２交差部とが互いに交差して嵌合することを特徴とする、エコな生地構造。
【請求項２】
前記第１微量元素複合層は、亜鉛イオン複合層、ゲルマニウムイオン複合層、銅イオン複合層、及び銀ナノイオン複合層から選択されるいずれか１つまたはこれらの組み合わせであることを特徴とする、請求項１に記載のエコな生地構造。
【請求項３】
前記第２微量元素複合層は、亜鉛イオン複合層、ゲルマニウムイオン複合層、及び銅イオン複合層から選択されるいずれか１つまたはこれらの組み合わせであることを特徴とする、請求項１に記載のエコな生地構造。
【請求項４】
前記経糸本体は、断面の所定の幾何学的形状が円形ではないことを特徴とする、請求項１に記載のエコな生地構造。
【請求項５】
前記経糸本体は、断面の所定の幾何学的形状が十字形であることを特徴とする、請求項１に記載のエコな生地構造。
【請求項６】
前記緯糸本体は、断面の所定の幾何学的形状が円形ではないことを特徴とする、請求項１に記載のエコな生地構造。
【請求項７】
前記緯糸本体は、断面の所定の幾何学的形状が十字形であることを特徴とする、請求項１に記載のエコな生地構造。
【考案の詳細な説明】
【技術分野】
【０００１】
本考案は、エコな生地構造に関し、特に、微量元素複合層を有する生地構造に関する。
【背景技術】
【０００２】
近年、生活水準の向上につれて、物質的な生活を満たす上に、仕事三昧の生活だけでなく、余暇活動がますます重視されている。そのため、余暇活動用の機能性衣類に対するニーズが高まっている。
【０００３】
従来の衣類用繊維は、消費者を引き付けるために、ファッション及び機能性を備えなければならない。その中でも、合成繊維の硬さと、天然繊維の吸水性及び柔らかい触感とを兼ね備えることは、余暇活動中の汗による不快感を軽減することができる。
【０００４】
公知の合成繊維の一番の欠点は、吸水性が綿、麻等の天然繊維より遥かに低い。そのため、合成繊維を着て活動する場合は、皮膚と衣類の間に汗による水膜層を形成し易く、着用者にベタベタ感及び不快感を与える。
【０００５】
上記問題を解決するための手段としては、汗を速やかに衣類の表層に誘導し、外部の流動空気による乾燥効果によってベタベタ感を解消し、着用して活動する時に涼しい感じをできるだけ維持することが考えられる。
【０００６】
上記問題を解決するために、一般的には特殊な断面を有する合成繊維が使用されている。その原理としては、大量の特殊な断面を有する合成繊維を集束してロービングにすると、前記ロービングの充填密度が低下し、即ち、ロービング同士の間により多い隙間が作られ、衣類の快適さを効果的に確保することができる。
【０００７】
台湾実用新案登録第Ｍ３２７３６８号には、表面布層、微量元素層、及び底面布層からなる機能布が開示されている。前記機能布は、多層構造である生地に微量元素層が設けられることにより、吸水排気促進機能、人体機能の調整、血液循環の促進、及び体温維持機能を有する。
【０００８】
しかしながら、生地を多層構造とすることは、生地の製造工程のコスト及び労力が向上するとともに、生地が厚いほど通気性が低くなり、さらに、保温性が向上する一方で、生地のクール性が低下するという問題点がある。よって、前記機能布の応用が限られている。
【０００９】
また、前記機能布は、布層間の隙間によって微量元素が微量元素層に浸透するが、布層間の隙間の数を効果的に制御することができないため、微量元素の分布にバラツキが生じ、機能の低下を招くことになる。
【考案の概要】
【考案が解決しようとする課題】
【００１０】
本考案は、上記問題を解決するためになされたものであり、微量元素複合層を有するエコな生地構造を提供する。今までの生地を多層化して微量元素を添加する方法と異なり、本考案に係るエコな生地構造は、含まれる微量元素によって異なる機能を有し、かつ、微量元素複合層を有する糸で織成されることにより、生地の製造コスト及び労力を低減するとともに、生地のクール性を向上させ、より広い分野に適用することができる。
【課題を解決するための手段】
【００１１】
本考案は、複数本の経糸と複数本の緯糸とを交互に織り合わせてなり、かつ微量元素複合層を有するエコな生地構造であって、経糸本体の表面に少なくとも第１微量元素複合層が被覆され、緯糸本体の表面に少なくとも第２微量元素複合層が被覆されるエコな生地構造を提供することを目的とする。これにより、微量元素複合層に含まれる微量元素の種類によって抗菌、脱臭、耐紫外線及び帯電防止等の機能を達成することができる。
【００１２】
さらに、微量元素複合層には複数種類の微量元素が含まれ、前記複数種類の微量元素が不溶性の元素である。
【００１３】
好ましくは、本考案の１つの実施例に係るエコな生地構造において、前記微量元素複合層は亜鉛イオン複合層を含む。
【００１４】
好ましくは、本考案の１つの実施例に係るエコな生地構造において、前記微量元素複合層はゲルマニウムイオン複合層を含む。
【００１５】
好ましくは、本考案の１つの実施例に係るエコな生地構造において、前記微量元素複合層は銅イオン複合層を含む。
【００１６】
好ましくは、本考案の１つの実施例に係るエコな生地構造において、前記微量元素複合層は銀ナノイオン複合層を含む。
【００１７】
好ましくは、本考案の１つの実施例に係るエコな生地構造において、紡績工程における複数本の経糸と複数本の緯糸の原料が、いずれもリサイクルしたプラスチックである。前記プラスチックは、リサイクルしたペットボトルであってもよい。
【００１８】
好ましくは、本考案の１つの実施例に係るエコな生地構造は、複数本の経糸と複数本の緯糸とを交互に織り合わせてなるものであり、かつ、複数本の経糸の所定位置に複数の第１交差部が形成され、複数本の緯糸の所定位置に複数の第２交差部が形成され、経糸の複数の第１交差部と前記緯糸の複数の第２交差部とが互いに交差して嵌合する。
【００１９】
好ましくは、本考案の１つの実施例に係るエコな生地構造において、経糸本体は、断面の幾何学的形状が円形ではなく、かつ十字形面状の構造であってもよい。
【００２０】
好ましくは、本考案の１つの実施例に係るエコな生地構造において、緯糸本体は、断面の幾何学的形状は円形ではなく、かつ十字形面状の構造であってもよい。
【００２１】
このように、本考案に係るエコな生地構造によれば、多層構造又はもう１層の機能層を設ける必要がなく、微量元素複合層を有する複数本の経糸と複数本の緯糸とをそのまま交互に織り合わせて形成可能であるから、微量元素による機能を保ちながら、生地の製造プロセスのコストを低減し、且つ生地の厚さを薄くて通気性を向上させる。また、今までの泡浸透又は表面付着によって微量元素を添加する方法と異なり、本考案では、複数種類の微量元素が紡績工程中に添加され、そのまま繊維にはめ込まれることにより、エコな生地構造の機能の耐久性を向上させる。
【００２２】
更に、本考案に係るエコな生地構造は、微量元素複合層を有する複数本の経糸と複数本の緯糸とをそのまま交互に織り合わせてなるものであるから、微量元素の分布にバラツキが生じなく、かつ抗菌、脱臭、抗ＵＶ及び帯電防止等の機能を有する。また、前記複数種類の微量元素がいずれも不溶性の元素であるから、洗濯回数による機能低下という問題がない。
【００２３】
具体的に、本考案の１つの実施例に係るエコな生地構造において、微量元素複合層は亜鉛イオン複合層を含む。これにより、有害な紫外線をブロックして抗ＵＶ機能を達成するとともに、環境中の細菌に対して強い抗菌作用を有し、臭気の発生を効果的に抑制することができる。
【００２４】
具体的に、本考案の１つの実施例に係るエコな生地構造において、微量元素複合層はゲルマニウムイオン複合層を含む。この場合は、ゲルマニウムがマイナスイオンになると、皮下組織に浸透し、そして、皮下組織における毛細血管で吸収されたゲルマニウムの負電子が血液に浸透して電子転移することにより、血液循環を促進させ、筋肉や骨の疲労及び筋肉痛を軽減でき、更に免疫力を向上させ、並びに代謝促進、物理的な長持ち殺菌抗菌、脱臭、熱伝導性、静電気除去等の機能を有する。
【００２５】
具体的に、本考案の１つの実施例に係るエコな生地構造において、微量元素複合層は銅イオン複合層を含む。銅イオンは、細菌の細胞膜、核酸、酵素及び細胞タンパク質を破壊するとともに、表面の細菌コロニー数を低減することができるので、細菌感染の低減という目的を達成し得る。また、銅含有製品は帯電防止の機能を有する。
【００２６】
具体的に、本考案の１つの実施例に係るエコな生地構造において、経糸本体及び緯糸本体は、断面の幾何学的形状がいずれも円形ではなく、かつ十字形であってもよい。このように、本考案の１つの実施例に係る微量元素糸で織成されたエコな生地構造は、合成繊維の硬さと、天然繊維の吸水性及び柔らかい触感とを兼ね備えることができる。
【考案の効果】
【００２７】
上記をまとめると、本考案に係る微量元素を有するエコな生地構造は、抗菌、脱臭、抗ＵＶ、クール感、帯電防止等の特徴を有する。
【００２８】
当業者が本考案の目的、特徴及び効果をより理解できるために、以下、具体的な実施例及び添付した図面を参照しながら、本考案を説明する。
【図面の簡単な説明】
【００２９】
【図１】本考案に係るエコな生地構造の模式図である。
【図２】本考案に係るエコな生地構造の一部の拡大模式図である。
【図３】本考案の１つの実施例に係るエコな生地構造のＡ−Ａ’線の一部の拡大断面図である。
【図４】本考案の１つの実施例に係る経糸及び緯糸の構造を示す模式図である。
【図５ａ】本考案の他の実施例に係る経糸の構造を示す模式図である。
【図５ｂ】本考案の他の実施例に係る緯糸の構造を示す模式図である。
【図６】本考案に係る亜鉛イオン複合層に含まれる亜鉛イオンの抗菌メカニズムを示す模式図である。
【図７】本考案に係るゲルマニウムイオン複合層に含まれるゲルマニウムイオンの機能を示す模式図である。
【図８】本考案に係る銅イオン複合層に含まれる銅イオンの抗菌メカニズムを示す模式図である。
【考案を実施するための形態】
【００３０】
以下、当業者が本明細書の開示に基づいて本考案を実現できるように、図面及び符号の説明を参照しながら、本考案の実施形態をより詳しく説明する。
【００３１】
しかしながら、本考案は、以下の実施例に限定されるものではなく、様々な変形例が実施可能である。
【００３２】
以下の実施例は、あくまで当業者が本考案に記載の内容及び範囲を理解できるように例示として開示されているものである。
【００３３】
したがって、本考案は、実用新案登録請求の範囲のみによって決められるものである。
【００３４】
本考案の各実施例の図面に示される形状、サイズ、比率、数等は、あくまで例示であるので、本考案はそれらに限定されるものではない。
【００３５】
本明細書において、同じ部材には同じ符号が付されている。
【００３６】
特に明記しない限り、単数の名詞を引用する場合には、複数の概念を含む。
【００３７】
図１は、本考案に係るエコな生地構造の模式図であり、図２は、本考案に係るエコな生地構造の一部の拡大模式図である。図１及び図２に示すように、エコな生地構造１は、複数本の経糸１１と複数本の緯糸１２とを交互に織り合わせてなり、且つ複数種類の微量元素２１を含む。
【００３８】
更に、図３は、本考案の１つの実施例に係るエコな生地構造のＡ−Ａ’線の一部の拡大断面図である。図２及び図３に示すように、本考案に係るエコな生地構造１は、複数本の経糸１１と複数本の緯糸１２とを交互に織り合わせてなるものであり、かつ、複数本の経糸１１の所定位置に複数の第１交差部３１が形成され、複数本の緯糸１２の所定位置に複数の第２交差部３２が形成され、複数の第１交差部３１と複数の第２交差部３２とが互いに交差して嵌合する。
【００３９】
具体的に、図４は、本考案の１つの実施例に係る経糸１１及び緯糸１２の構造を示す模式図である。図４に示すように、本考案の１つの実施例に係る経糸１１は、断面の幾何学的形状が十字形となる経糸本体１１１と、微量元素複合層２２とを有する。また、本考案の１つの実施例に係る緯糸１２は、断面の幾何学的形状が十字形となる緯糸本体１２１と、微量元素複合層２２とを有する。それらの機能としては、断面の幾何学的形状が十字形となる合成繊維を大量に集束してロービングにすると、前記ロービングの充填密度を低下させ、即ち、ロービング同士の間により多い隙間が作られる。前記隙間は、連続な繊維の表面に沿って複数本のキャピラリーが形成される。このような繊維ロービングで織成された衣類は、体が汗をかく際に、前記隙間に毛細管現象が生じることによって汗を衣類の外層に排出し、衣類の快適さを効果的に確保することができる。
【００４０】
具体的に、図４に示すように、本考案の１つの実施例に係る経糸１１及び緯糸１２は、複数の微量元素複合層２２を含む。そのうち、内から外へ順に、亜鉛イオン複合層２２１、ゲルマニウムイオン複合層２２２、銅イオン複合層２２３、及び銀ナノイオン複合層２２４を含む。さらに、本考案の１つの実施例に係る経糸１１及び緯糸１２は、複数種類の微量元素２１が紡績工程中に添加され、そのまま経糸１１及び緯糸１２にはめ込まれることにより、機能を長期間持続させることができる。
【００４１】
具体的に、本考案の１つの実施例に係る経糸１１及び緯糸１２は、ポリエチレンテレフタレート（Ｐｏｌｙｅｔｈｙｌｅｎｅ  ｔｅｒｅｐｈｔｈａｌａｔｅ）、ナノ銀粉末、及びナノ電気粉末からなるマスターバッチから形成されるものである。このように、経糸１１及び緯糸１２は、銀ナノ成分を含む。また、銀イオンは、粒径が極めて小さいので、非常に低い濃度でも細胞膜を自由に透過することができる。細胞膜は、細菌細胞の重要な構造であり、それが損傷、破壊された場合、細菌が死滅してしまい、殺菌抗菌、脱臭等の機能を達成する。更に、本考案の１つの実施例に係る経糸１１及び緯糸１２は、遠赤外線セラミックパウダー、トルマリン、ゲルマニウム、チタン及びブラックシリカのうちのいずれか１つを有するので、遠赤外線を発する機能を有する。
【００４２】
具体的に、本考案の１つの実施例に係るエコな生地構造において、紡績工程における経糸１１及び緯糸１２の原料がリサイクルしたプラスチックである。前記プラスチックは、リサイクルしたペットボトルであってもよい。前記ペットボトルは、包装除去、洗浄、タグ除去、ボトル本体による分類、粉砕、再洗浄、雑質除去、及び脱水の工程によってＰＥＴフレークになり、さらに、加工工場で分解して再重合し、高温溶融することにより、ＰＥＴチップを生成する。これらのリサイクルしたチップは、リサイクルポリエステル（Ｒｅｃｙｃｌｅｄ  ＰＥＴ）とも称され、ポリエチレンテレフタラートであってもよい。
【００４３】
更に、本考案に係る微量元素２１は、不溶性の元素であるので、洗濯回数による機能低下が生じない。
【００４４】
なお、微量元素２１は、ナトリウム（Ｎａ）、カリウム（Ｋ）、マグネシウム（Ｍｇ）、カルシウム（Ｃａ）、リン（Ｐ）、塩素（ｃｌ）、バナジウム（Ｖ）、クロム（Ｃｒ）、マンガン（Ｍｎ）、鉄（Ｆｅ）、コバルト（Ｃｏ）、ニッケル（Ｎｉ）、銅（Ｃｕ）、亜鉛（Ｚｎ）、セレン（Ｓｅ）、モリブデン（Ｍｏ）、スズ（Ｓｎ）、ゲルマニウム（Ｇｅ）のいずれかの組み合わせを含んでもよい。
【００４５】
しかしながら、本考案は、前記内容に限定されるものではない。図５ａは、本考案の他の実施例に係る経糸１１の構造を示す模式図である。図５ａに示すように、経糸１１は、亜鉛イオン複合層２２１を有する第１経糸１１１１と、ゲルマニウムイオン複合層２２２を有する第２経糸１１１２と、銅イオン複合層２２３を有する第３経糸１１１３と、銀ナノイオン複合層２２４を有する第４経糸１１１４とを含む。また、図５ｂは、本考案の他の実施例に係る緯糸１２の構造を示す模式図である。図５ｂに示すように、緯糸１２は、亜鉛イオン複合層２２１を有する第１緯糸１２１１と、ゲルマニウムイオン複合層２２２を有する第２緯糸１２１２と、銅イオン複合層２２３を有する第３緯糸１３１３と、銀ナノイオン複合層２２４を有する第４緯糸１２１４とを含む。
【００４６】
さらに、上記実施例と異なり、本考案の他の実施例には、異なる複数の微量元素複合層２２が積層されるのではなく、エコな生地構造１に均一に分布される。これにより、異なる複数の微量元素複合層２２の機能を最大化させ、比較的内層に位置する微量元素複合層２２の機能低下を避けられ、更に、抗菌、脱臭、耐紫外線及び帯電防止等の機能を確保することができる。
【００４７】
具体的に、本考案に係るエコな生地構造１において、亜鉛イオン複合層２２１に含まれる亜鉛イオン２２１１の機能としては、まず、空気との接触によって形成された酸化亜鉛が、保護層として有害な紫外線をブロックして抗ＵＶ機能を有する。次に、本考案の１つの実施例に係るエコな生地構造１が皮膚に直接接触する場合には、含まれた亜鉛イオンが皮膚の水分及び湿度によって解放され、皮膚の刺激及び皮膚アレルギー反応を避けられる。そして、亜鉛イオン２２１１は、細菌の増殖や代謝をブロックし、臭気の発生を効果的に抑制することができる。
【００４８】
更に、図６は、本考案に係る亜鉛イオン複合層２２１に含まれる亜鉛イオン２２１１の抗菌メカニズムを示す模式図である。図６に示すように、亜鉛イオン２２１１が負電荷に引かれて細菌内に取り込まれ、細菌内のチオール基（−ＳＨ）、ヒドロキシ基（ｈｙｄｒｏｘｙｌ  ｒａｄｉｃａｌ、ＯＨ）等の官能基に結合することにより、細菌のタンパク質が変性され、他の細胞反応の誘導が抑制され、さらに代謝に影響を及ぼし、その結果、細菌は死滅に至る。よって、亜鉛イオン２２１１は環境中の細菌に対する抗菌作用を有する。
【００４９】
具体的に、本考案に係るエコな生地構造１においては、ゲルマニウムイオン複合層２２２がゲルマニウムイオン２２２１を含む。図７は、本考案に係るゲルマニウムイオン複合層２２２に含まれるゲルマニウムイオン２２２１の機能を示す模式図である。図７に示すように、ゲルマニウムイオン２２２１は、人の皮膚の温度（人の皮膚の温度は約３２℃）に接触すると、人体に良い電気を放出し、体温を少し上昇させる。ゲルマニウムイオン２２２１が皮下組織に浸透すると、皮下組織の毛細血管で吸収されたゲルマニウムの負電子が血液に浸透して電子転移することにより、使用者の体内の生体電流を活性化させ、血液循環を促進し、すなわち、筋肉や骨の疲労、及び筋肉痛を軽減でき、更に免疫力を向上させ、並びに代謝促進、物理的な長持ち殺菌抗菌、脱臭、熱伝導性、静電気除去等の機能を有する。
【００５０】
具体的に、本考案に係る生地構造１においては、銅イオン複合層２２３が銅イオン２２３１を含む。図８は、本考案に係る銅イオン複合層２２３に含まれる銅イオン２２３１の抗菌メカニズムを示す模式図である。図８に示すように、銅イオン２２３１は、空気中の水気と反応してヒドロキシ基を生成することから、細菌に取り込まれると、細胞内のタンパク質及び脂質を破壊することができる。同時に、銅イオン２２３１は、水素イオン及び空気中の酸素と反応して過酸化水素（Ｈ２Ｏ２）を生成し、再びヒドロキシルラジカルを生成して細胞成分を破壊し続けることができる。なお、銅イオン２２３１が亜鉛又はその他の金属イオンと酵素タンパク質の結合部位を競合することは、酵素の作用に影響を与えるから、細菌の細胞膜、核酸、酵素及び細胞タンパク質を破壊し、細菌の死滅又はその分裂・増殖能力の喪失を引き起こす。よって、銅イオン２２３１含有製品は、表面の細菌コロニー数を低減することによっても細菌感染の低減という目的を達成することができる。また、銅含有製品２２３１は帯電防止の機能を有する。
【００５１】
上記のように、本考案は、以下の機能及び効果を有する。
【００５２】
１．本考案によれば、今までの多層化した生地の特定の層に微量元素を添加する方法と異なり、複数種類の微量元素２１が紡績工程中に添加されることによって製造された微量元素複合層２２を有する経糸１１及び緯糸１２は、生地の製造コスト及び労力を低減するとともに、生地のクール性を向上させ、より広い分野に適用することができる。
【００５３】
２．本考案によれば、今までの泡浸透又は表面付着によって微量元素を添加する方法と異なり、複数種類の微量元素２１が紡績工程中に添加され、そのまま経糸１１及び緯糸１２にはめ込まれることにより、本考案のエコな生地構造１の機能の耐久性を向上させる。
【００５４】
３．本考案は、前記亜鉛イオン複合層２２１に含まれる亜鉛イオン２２１１により、有害な紫外線をブロックして抗ＵＶ機能を達成するとともに、環境中の細菌に対して強い抗菌作用を有し、臭気の発生を効果的に抑制することができる。
【００５５】
４．本考案は、前記ゲルマニウムイオン複合層２２２に含まれるゲルマニウムイオン２２２１により、筋肉や骨の疲労、及び筋肉痛を軽減し、更に免疫力を向上させるとともに、代謝促進、物理的な長持ち殺菌抗菌、脱臭、熱伝導性、静電気除去等の機能を有する。
【００５６】
５．本考案は、前記銅イオン複合層２２３に含まれる銅イオン２２３１が反応することによって細菌を破壊し、表面の細菌コロニー数を低減して細菌感染の低減という目的を達成することができる。また、銅含有製品も帯電防止の機能を有する。
【００５７】
６．本考案は、前記銀ナノイオン複合層２２４に含まれる銀ナノ成分により、殺菌抗菌、脱臭等の機能を有する。
【００５８】
上記は、具体的な実施例によって本考案の実施形態を説明するものである。当業者であれば、本明細書の記載から本考案のその他の利点及び効果を理解できる。
【００５９】
上記実施例は単なる本考案の好ましい例示に過ぎず、本考案の範囲を限定するものではない。本考案の精神を逸脱しない範囲でなされた同効の変更や改良は、いずれも本考案の範囲に含まれる。
【符号の説明】
【００６０】
１：エコな生地構造
１１：経糸
１１１：経糸本体
１１１１：第１経糸
１１１２：第２経糸
１１１３：第３経糸
１１１４：第４経糸
１２：緯糸
１２１：緯糸本体
１２１１：第１緯糸
１２１２：第２緯糸
１２１３：第３緯糸
１２１４：第４緯糸
２１：微量元素
２２：微量元素複合層
２２１：亜鉛イオン複合層
２２２：ゲルマニウムイオン複合層
２２３：銅イオン複合層
２２４：銀ナノイオン複合層
２２１１：亜鉛イオン
２２２１：ゲルマニウムイオン
２２３１：銅イオン
３１：第１交差部
３２：第２交差部
【図１】
0003226413.tif 000003
【図２】
0003226413.tif 000004
【図３】
0003226413.tif 000005
【図４】
0003226413.tif 000006
【図５ａ】
0003226413.tif 000007
【図５ｂ】
0003226413.tif 000008
【図６】
0003226413.tif 000009
【図７】
0003226413.tif 000010
【図８】
0003226413.tif 000011